(57)【要約】【目的】  本発明の目的は、構成が複雑になることなく、コンタクトのインピーダンス整合を図ることができる２種の規格対応型の新たなコネクタを提供する。【構成】  絶縁性を有するボディ１００と、ボディ１００内に同じ高さ位置に略平行に配設されるＴＸ＋信号用コンタクト２１０及びＴＸ−信号用コンタクト２２０と、ボディ１００内に前記高さ位置と異なる高さ位置に配設されたＶｂｕｓ用コンタクト３１０とを備えている。ＴＸ＋信号用コンタクト２１０及びＴＸ−信号用コンタクト２２０は、先端部２１１ａ、２２１ａの間のピッチ間隔が後端部２１１ｂ、２２１ｂの間のピッチ間隔よりも広い。Ｖｂｕｓ用コンタクト３１０は弾性変形し、先端部３１３ａが先端部２１１ａ、２２１ａに接近し、先端部２１１ａ、２２１ａの間に挿入可能になっている。【選択図】      図２
2010182623.tif 000002
【特許請求の範囲】
【請求項１】
絶縁性を有するボディと、
ボディ内に異なる高さ位置に配設されており且ついずれか一方が弾性変形可能である第１、第２のコンタクトとを備えており、
第１のコンタクトは、当該第１のコンタクトの他の部分に比べてインピーダンスが高い不整合部を有し、
第２のコンタクトは、第１又は第２のコンタクトが互いに近づく方向に弾性変形することにより、不整合部に接近する調整部を有することを特徴とするコネクタ。
【請求項２】
差動信号用の一対の第１のコンタクトを備えた場合の請求項１記載のコネクタにおいて、
第２のコンタクトが平面位置的に前記第１のコンタクトの間に配置されていることを特徴とするコネクタ。
【請求項３】
請求項２記載のコネクタにおいて、
第１又は第２のコンタクトが弾性変形した状態で、不整合部と調整部との間の距離が、第１のコンタクトの他の部分と第２のコンタクトの他の部分との間の距離よりも小さいことを特徴とするコネクタ。
【請求項４】
請求項３記載のコネクタにおいて、
一対の第１のコンタクトの不整合部の間のピッチ間隔が他の部分のピッチ間隔よりも大きくなっており、
第１又は第２のコンタクトが互いに近づく方向に弾性変形した状態で、調整部が一対の第１のコンタクトの不整合部の間に挿入され且つ当該不整合部との間の距離が略同じになっており、
ボディには、第１又は第２のコンタクトの先端部がプリロード状態で当接することにより、第１又は第２のコンタクトが互いに離れる方向に弾性変形するのを防止する掛け止め部が設けられていることを特徴とするコネクタ。
【請求項５】
請求項１、２、３又は４記載のコネクタにおいて、
ボディには、第１又は第２のコンタクトの先端部が当該第１又は第２のコンタクトの弾性変形方向に移動自在に挿入されるガイド穴が設けられていることを特徴とするコネクタ。  
【請求項６】
請求項１、２、３、４又は５記載のコネクタにおいて、
調整部は第２のコンタクトの先端部であることを特徴とすることを特徴とするコネクタ。
【請求項７】
第２のコンタクトが一対の第１のコンタクトのいずれか一方に偏在して配置されている場合の請求項２、３又は４記載のコネクタにおいて、
第２のコンタクトは、一方の前記第１のコンタクトに平面位置的に重なる第１の重複部と、他方の前記第１のコンタクトに平面位置的に重なる第２の重複部とを有し、
この第１、第２の重複部の前記第１のコンタクトに対する重なり面積が当該第１のコンタクトのインピーダンスの差に応じて調整されていることを特徴とするコネクタ。
【請求項８】
請求項７記載のコネクタにおいて、
第１、第２の重複部の第１のコンタクトに対する重なり面積が略同じであることを特徴とするコネクタ。
【請求項９】
請求項８記載のコネクタにおいて、
前記第１、第２の重複部は第２のコンタクトの幅方向の両端部であり、当該第１、第２の重複部のうち少なくとも一方が幅方向に拡張されていることを特徴とするコネクタ。
【請求項１０】
第２のコンタクトが弾性変形可能な端子である場合の請求項９記載のコネクタにおいて、
第２のコンタクトは、第１、第２の重複部のうち少なくとも一方が幅方向に拡張されることによる当該第２のコンタクトの弾性力の向上を抑制する弾性力抑制手段が設けられていることを特徴とするコネクタ。
【請求項１１】
請求項１０記載のコネクタにおいて、
前記弾性力抑制手段は第２のコンタクトの第１、第２の重複部の間の中間部に設けられた開口であることを特徴とするコネクタ。
【請求項１２】
請求項８記載のコネクタにおいて、
第２のコンタクトは、先端側の前記第１の重複部と基端側の前記第２の重複部とを連結する連結部を更に有し、連結部が第１、第２の重複部に対して直交又は傾斜していることを特徴とするコネクタ。
【請求項１３】
絶縁性を有するボディと、
ボディ内に異なる高さ位置に配設されており且ついずれか一方が弾性変形可能である第１、第２のコンタクトとを備えており、
第１のコンタクトは、当該第１のコンタクトの他の部分に比べてインピーダンスが低い不整合部を有し、
第２のコンタクトは、第１又は第２のコンタクトが互いに離れる方向に弾性変形することにより、不整合部から離れる調整部を有することを特徴とするコネクタ。
【発明の詳細な説明】
【技術分野】
【０００１】
本発明は、主として高速デジタル信号伝送に使用され、良好なインピーダンスマッチングを行うのに適するコネクタに関する。
【背景技術】
【０００２】
この種のコネクタとしては、新たな規格に対応する一対の差動ペア用のコンタクトと、従来の規格に対応するコンタクトとを備えたものがある。差動ペア用のコンタクトを新たな規格に対応させると、差動ペア用のコンタクトの接点部付近の部分の間のピッチ間隔や幅寸法が当該差動ペア用のコンタクトの他の部分と相違する。このため、接点部付近の部分と他の部分との間にインピーダンスの差が生じる。
【０００３】
この場合、接点部付近の部分の近傍に、グランド用コンタクトを配設すれば、差動ペア用のコンタクトの接点部付近の部分と他の部分との間のインピーダンス調整を図ることができる（特許文献１参照）。
【先行技術文献】
【特許文献】
【０００４】
【特許文献１】特表２００３−５０５８２６号公報
【発明の概要】
【発明が解決しようとする課題】
【０００５】
ところが、グランド用コンタクトを差動ペアのコンタクトの接点部付近の部分の近傍に配置すると、部品点数が増加し、全体構成が複雑になる。
【０００６】
本発明は、上記事情に鑑みて創案されたものであって、その目的とするところは、構成が複雑になることなく、コンタクトのインピーダンス整合を図ることができる２種の規格対応型の新たなコネクタを提供することにある。
【課題を解決するための手段】
【０００７】
上記課題を解決するために、本発明のコネクタは、絶縁性を有するボディと、ボディ内に異なる高さ位置に配設されており且ついずれか一方が弾性変形可能である第１、第２のコンタクトとを備えており、第１のコンタクトは、当該第１のコンタクトの他の部分に比べてインピーダンスが高い不整合部を有し、第２のコンタクトは、第１又は第２のコンタクトが互いに近づく方向に弾性変形することにより、不整合部に接近する調整部を有することを特徴としている。
【０００８】
このようなコネクタによる場合、第１の規格対応の第１のコンタクト又は第２の規格対応の第２のコンタクトが互いに接近する方向に弾性変形することにより、第２のコンタクトの調整部が第１のコンタクトの不整合部に接近するため、当該不整合部の静電容量が増加し、インピーダンスが低下する。よって、従来例の如くグランド用コンタクトを用いることなく、第１のコンタクトの不整合部と他の部分との間のインピーダンス不整合を抑制することができるので、構成が複雑になることなく、低コスト化を図ることができる。
【０００９】
前記コネクタが差動信号用の一対の第１のコンタクトを備えている場合、第２のコンタクトが平面位置的に前記第１のコンタクトの間に配置される。
【００１０】
第１又は第２のコンタクトが弾性変形した状態で、不整合部と調整部との間の距離が、第１のコンタクトの他の部分と第２のコンタクトの他の部分との間の距離よりも小さくなっている。この場合、調整部が第１のコンタクトの他の部分と第２のコンタクトの他の部分との間の距離よりも不整合部に近づくことにより、不整合部のインピーダンスを更に向上させ、不整合部と他の部分との間のインピーダンス整合を図ることができる。
【００１１】
一対の第１のコンタクトの不整合部の間のピッチ間隔が他の部分のピッチ間隔よりも大きい場合、第１又は第２のコンタクトが互いに近づく方向に弾性変形した状態で、調整部が一対の第１のコンタクトの不整合部の間に挿入され且つ当該不整合部との間の距離が略同じになっている。ボディには、第１又は第２のコンタクトの先端部がプリロード状態で当接することにより、第１又は第２のコンタクトが互いに離れる方向に弾性変形するのを防止する掛け止め部が設けられている。
【００１２】
このように不整合部の間のピッチ間隔が他の部分のピッチ間隔よりも大きいことを起因として、不整合部が他の部分よりも大きくインピーダンスが低下している場合であっても、調整部が一対の第１のコンタクトの不整合部の間に挿入され且つ当該不整合部との間の距離が略同じであることにより、一対の第１のコンタクトの不整合部と他の部分との間のインピーダンス整合を各々図ることができる。しかも、第１のコンタクトの不整合部の間のピッチ間隔が他の部分のピッチ間隔よりも大きくなっているため、調整部が不整合部の間に挿入された状態で、当該不整合部に干渉するのを防止することができる。
【００１３】
ボディには、第１又は第２のコンタクトの先端部が当該第１又は第２のコンタクトの弾性変形方向に移動自在に挿入されるガイド穴が設けられていることが好ましい。この場合、ガイド穴により第１又は第２のコンタクトの先端部がガイドされるため、当該第１又は第２のコンタクトを互いに近づく方向に正確に弾性変形させることができる。
【００１４】
前記調整部は第２のコンタクトの先端部とすることができる。
【００１５】
第２のコンタクトが一対の第１のコンタクトのいずれか一方に偏在して配置されている場合、第２のコンタクトは、一方の前記第１のコンタクトに平面位置的に重なる第１の重複部と、他方の前記第１のコンタクトに平面位置的に重なる第２の重複部とを有し、この第１、第２の重複部の前記第１のコンタクトに対する重なり面積が当該第１のコンタクトのインピーダンスの差に応じて調整されている。
【００１６】
この場合、第２のコンタクトの第１、第２の重複部の一対の第１のコンタクトに対する重なり面積が当該第１のコンタクトのインピーダンスの差に応じて調整されているため、第１のコンタクト間のインピーダンス整合を図ることができる。すなわち、第２の規格用の第２のコンタクトを用いて第１のコンタクトの不整合部と他の部分との間のインピーダンス整合を図るだけでなく、第１のコンタクト間のインピーダンス整合も行うことができるので、構成が複雑になることなく、低コスト化を図ることができる。
【００１７】
第１、第２の重複部の第１のコンタクトに対する重なり面積が略同じであることが好ましい。この場合、第１、第２の重複部の第１のコンタクトに対する重なり面積が略同じであることから、第１のコンタクトの静電容量が略同じになり、第１のコンタクト間のインピーダンス整合を図ることができる。
【００１８】
前記第１、第２の重複部は第２のコンタクトの幅方向の両端部である場合、当該第１、第２の重複部のうち少なくとも一方を幅方向に拡張することができる。この場合、第１、第２の重複部のうち少なくとも一方を幅方向に拡張することにより、第１、第２の重複部の第１のコンタクトに対する重なり面積を略同じにすることができる。即ち、第２のコンタクトの幅寸法を変えるだけで、簡単に第１のコンタクト間のインピーダンス整合を図ることができる。
【００１９】
第２のコンタクトが弾性変形可能な端子である場合、第２のコンタクトは第１、第２の重複部のうち少なくとも一方が幅方向に拡張されることによる当該第２のコンタクトの弾性力の向上を抑制する弾性力抑制手段が設けられていることが好ましい。この場合、弾性力抑制手段により、第１、第２の重複部のうち少なくとも一方が幅方向に拡張されることによる当該第２のコンタクトの弾性力の向上を抑制することができる。よって、第２のコンタクトの弾性力の向上に伴う当該第２のコンタクトの接点圧の上昇を抑制することができる。
【００２０】
前記弾性力抑制手段は前記第２のコンタクトの第１、第２の重複部の間の中間部に設けられた開口とすることができる。この場合、第２のコンタクトの第１、第２の重複部の間の中間部に開口が設けられているので、第１、第２の重複部のうち少なくとも一方の幅方向に拡張による第２のコンタクトの弾性力の向上を抑制することができ、これに伴う接点圧の上昇を抑制することができる。よって、第２のコンタクトを所定の接点圧で相手側コンタクトに接触させることができる。しかも、開口の形状及び／又は大きさを可変することによって、第１、第２の重複部の第１のコンタクトに対する重なり面積を調整することができるので、第１のコンタクト間のインピーダンス調整を簡単に行うことができる。更に、第２のコンタクトの中間部に開口部を設けることにより、第２のコンタクトの第１、第２の重複部の第１のコンタクトに対する重なり面積を小さくすることが可能になり、この結果、第１のコンタクト間のインピーダンスを小さくすることが可能になる。
【００２１】
或いは、第２のコンタクトは、先端側の前記第１の重複部と基端側の前記第２の重複部とを連結する連結部を更に有し、連結部が第１、第２の重複部に対して直交又は傾斜した形状とすることができる。この場合、第１のコンタクトに対する重なり面積が略同じである先端側の前記第１の重複部と基端側の前記第２の重複部とを連結部で連結するだけで、簡単に第１のコンタクト間のインピーダンス整合を図ることができる。
【００２２】
本発明の別のコネクタは、絶縁性を有するボディと、ボディ内に異なる高さ位置に配設されており且ついずれか一方が弾性変形可能である第１、第２のコンタクトとを備えており、第１のコンタクトは、当該第１のコンタクトの他の部分に比べてインピーダンスが低い不整合部を有し、第２のコンタクトは、第１又は第２のコンタクトが互いに離れる方向に弾性変形することにより、不整合部から離れる調整部を有することを特徴としている。      
【００２３】
このようなコネクタによる場合、第１の規格対応の第１のコンタクト又は第２の規格対応の第２のコンタクトが互いに離れる方向に弾性変形することにより、第２のコンタクトの調整部が第１のコンタクトの不整合部から離れるため、当該不整合部の静電容量が低下し、インピーダンスが上昇する。よって、従来例の如くグランド用コンタクトを用いることなく、第１のコンタクトの不整合部と他の部分との間のインピーダンス不整合を抑制することができるので、構成が複雑になることなく、低コスト化を図ることができる。
【図面の簡単な説明】
【００２４】
【図１】本発明の実施の形態に係るコネクタの概略的断面図である。
【図２】同コネクタのシェルを取り外した状態の内部が透過した概略的平面図である。
【図３】図２の模式的Ａ−Ａ断面図である。
【図４】図２の模式的Ｂ−Ｂ部分断面図であって、（ａ）が弾性変形前のＶｂｕｓ用コンタクトの本体部の後端部を示す図、（ｂ）が弾性変形後のＶｂｕｓ用コンタクトの本体部の後端部を示す図である。
【図５】図２の模式的Ｃ−Ｃ部分断面図であって、（ａ）が弾性変形前のＶｂｕｓ用コンタクトの本体部の先端部を示す図、（ｂ）が弾性変形後のＶｂｕｓ用コンタクトの本体部の先端部を示す図である。
【図６】同コネクタのボディの概略的斜視図である。
【図７】同コネクタのボディの内部が透過した概略的底面図である。
【図８】同コネクタのスペーサの概略的斜視図である。
【図９】同コネクタのコンタクトの配置関係を示す概略的底面図である。
【図１０】同コネクタのＴＸ＋信号用コンタクト、ＴＸ−信号用コンタクト及びＶｂｕｓ用コンタクトの概略的斜視図である。
【図１１】同コネクタのＴＸ＋信号用コンタクトの概略的斜視図、（ｂ）がＴＸ−信号用コンタクトの概略的斜視図である。
【図１２】同コネクタのＶｂｕｓ用コンタクトの概略的斜視図である。
【図１３】同コネクタのＴＸ＋信号用コンタクト、ＴＸ−信号用コンタクト及びＶｂｕｓ用コンタクトの設計変更例を示す模式図であって、（ａ）が底面図、（ｂ）が断面図である。
【図１４】同コネクタのＴＸ＋信号用コンタクト、ＴＸ−信号用コンタクト及びＶｂｕｓ用コンタクトの別の設計変更例を示す模式図であって、（ａ）が底面図、（ｂ）が断面図である。
【図１５】同コネクタのＶｂｕｓ用コンタクトの設計変更例を示す模式的底面図であって、（ａ）は開口が設けられていない形状を示す図、（ｂ）が弾性変形部の中間部が折り曲げられた形状を示す図、（ｃ）が弾性変形部の両端に半円状の重複部が設けられた状態を示す図である。
【発明を実施するための形態】
【００２５】
以下、本発明の実施の形態に係るコネクタを次の図面を参照しつつ説明する。図１は本発明の実施の形態に係るコネクタの概略的断面図、図２は同コネクタのシェルを取り外した状態の内部が透過した概略的平面図、図３は図２の模式的Ａ−Ａ断面図、図４は図２の模式的Ｂ−Ｂ部分断面図（ａ）が弾性変形前のＶｂｕｓ用コンタクトの本体部の後端部を示す図、（ｂ）が弾性変形後のＶｂｕｓ用コンタクトの本体部の後端部を示す図、図５は図２の模式的Ｃ−Ｃ部分断面図であって、（ａ）が弾性変形前のＶｂｕｓ用コンタクトの本体部の先端部を示す図、（ｂ）が弾性変形後のＶｂｕｓ用コンタクトの本体部の先端部を示す図、図６は同コネクタのボディの概略的斜視図、図７は同コネクタのボディ内部が透過した概略的底面図、図８は同コネクタのスペーサの概略的斜視図、図９は同コネクタのコンタクトの配置関係を示す概略的底面図、図１０は同コネクタのＴＸ＋信号用コンタクト、ＴＸ−信号用コンタクト及びＶｂｕｓ用コンタクトの概略的斜視図、図１１は（ａ）が同コネクタのＴＸ＋信号用コンタクトの概略的斜視図、（ｂ）がＴＸ−信号用コンタクトの概略的斜視図、図１２は同コネクタのＶｂｕｓ用コンタクトの概略的斜視図である。
【００２６】
ここに掲げるコネクタは、基板１０上に実装されており且つ図示しないＵＳＢ３．０用プラグ及びＵＳＢ２．０用プラグが接続可能なレセプタクルコネクタである。
【００２７】
このレセプタクルコネクタは、図１乃至図３に示すように、ボディ１００と、ＵＳＢ３．０用コンタクト群２００と、ＵＳＢ２．０用コンタクト群３００と、ボディ１００を覆うシェル４００と、ボディ１００に取り付けられるスペーサ５００とを備えている。以下、各部について詳しく説明する。
【００２８】
ボディ１００は、ＰＢＴ（ポリブチレンテレフタレート）やＰＰＳ（ポリフェニレンサルファイド）等の汎用の絶縁性合成樹脂を射出成形した成型品である。このボディ１００は、図１乃至図７に示すように、略直方体状のボディ本体１１０と、ボディ本体１１０の正面上側部に突設された板状の凸部１２０とを有している。
【００２９】
ボディ本体１１０及び凸部１２０の上側部分には、図１乃至図３に示すように、ＵＳＢ３．０用コンタクト群２００の後述するＴＸ＋信号用コンタクト２１０、ＴＸ−信号用コンタクト２２０、グランド用コンタクト２３０、ＲＸ＋信号用コンタクト２４０及びＲＸ−信号用コンタクト２５０がボディ１００の幅方向に間隔を空けて埋設されている。このＴＸ＋信号用コンタクト２１０、ＴＸ−信号用コンタクト２２０、グランド用コンタクト２３０、ＲＸ＋信号用コンタクト２４０及びＲＸ−信号用コンタクト２５０が、ＵＳＢ３．０用プラグのＵＳＢ３．０用プラグコンタクトの配置に対応して配置されている。
【００３０】
ボディ本体１１０の正面中央部には、図１、図２及び図７に示すように、略矩形状の４つの正面側凹部１１１がＵＳＢ２．０用プラグのＵＳＢ２．０用プラグコンタクトの配置に対応して設けられている。このボディ本体１１０の正面側凹部１１１の上方部位には、正面側凹部１１１に各々連通する４つの圧入孔１１２が設けられている。
【００３１】
この圧入孔１１２にＵＳＢ２．０用コンタクト群３００の後述するＶｂｕｓ用コンタクト３１０、Ｄａｔｅ−用コンタクト３２０、Ｄａｔｅ＋用コンタクト３３０及びＧＮＤ用コンタクト３４０の圧入部３１１、３２１、３３１、３４１が各々圧入される。この状態で、Ｖｂｕｓ用コンタクト３１０、Ｄａｔｅ−用コンタクト３２０、Ｄａｔｅ＋用コンタクト３３０及びＧＮＤ用コンタクト３４０の後述する弾性変形部３１２、３２２、３３２、３４２が正面側凹部１１１から各々導出される。
【００３２】
凸部１２０の下端部には略直方体状の４つの凹部１２１が設けられている。この凹部１２１の長さ方向の一端側が正面側凹部１１１に各々連通している。凹部１２１には、ＵＳＢ２．０用コンタクト群３００のＶｂｕｓ用コンタクト３１０、Ｄａｔｅ−用コンタクト３２０、Ｄａｔｅ＋用コンタクト３３０及びＧＮＤ用コンタクト３４０の正面側凹部１１１から各々導出された弾性変形部３１２、３２２、３３２、３４２及び後述する可動接点部３１３、３２３、３３３、３４３が各々挿入される。
【００３３】
また、凹部１２１の長さ方向の他端側の内壁には、図１に示すように、上下方向に伸びたガイド穴１２１ａが設けられている。このガイド穴１２１ａにより、可動接点部３１３、３２３、３３３、３４３の先端部３１３ａ、３２３ａ、３３３ａ、３４３ａが上下動自在に挿入されガイドされる。また、ガイド穴１２１ａの下側縁部は先端部３１３ａ、３２３ａ、３３３ａ、３４３ａに当接し、Ｖｂｕｓ用コンタクト３１０、Ｄａｔｅ−用コンタクト３２０、Ｄａｔｅ＋用コンタクト３３０及びＧＮＤ用コンタクト３４０をプリロード状態で保持する掛け止め部１２１ｂとなっている。
【００３４】
また、ボディ本体１１０の背面中央部には、図１及び図２に示すように、４つの圧入孔１１２に連通する背面側凹部１１３が設けられている。圧入孔１１２に各々圧入されたＵＳＢ２．０用コンタクト群３００のＶｂｕｓ用コンタクト３１０、Ｄａｔｅ−用コンタクト３２０、Ｄａｔｅ＋用コンタクト３３０及びＧＮＤ用コンタクト３４０の後述する導出部３１４、３２４、３３４、３４４と、ボディ本体１１０及び凸部１２０の上側部分に埋設されたＵＳＢ３．０用コンタクト群２００のＴＸ＋信号用コンタクト２１０、ＴＸ−信号用コンタクト２２０、グランド用コンタクト２３０、ＲＸ＋信号用コンタクト２４０及びＲＸ−信号用コンタクト２５０の後述する導出部２１３、２２３、２３３、２４３とが背面側凹部１１３からボディ１００外に各々導出される。また、背面側凹部１１３には、図１に示すように、側面視略Ｌ字状の略板状のスペーサ５００の垂直部５１０が嵌合するようになっている。
【００３５】
シェル４００は金属製の角型の筒状体である。このシェル４００は、図１に示すように、シェル本体４１０と、シェル本体４１０の後端の上側部に連続するカバー４２０とを有する。
【００３６】
シェル本体４１０はボディ１００の外周を覆う。これにより、ボディ１００の凸部１２０とシェル本体４１０下端部との間にプラグ挿入空間αが形成される。このプラグ挿入空間αにＵＳＢ３．０用プラグ及びＵＳＢ２．０用プラグが各々挿入される。また、シェル本体４１０の両端部には、図２に示すように、基板１０のグランドラインに接続される一対の接続片４１１（図示一つ）が設けられている。
【００３７】
カバー４２０は、シェル本体４１０に対して略直角に折り曲げられ、ボディ１００に取り付けられたスペーサ５００の後端面を覆うようになっている。
【００３８】
スペーサ５００は、図２及び図８に示すように、ボディ１００と同様の汎用の絶縁性合成樹脂を射出成形した断面視略Ｌ字状の成型品である。このスペーサ５００は、垂直部５１０とこの垂直部５１０に直角に設けられたベース部５２０とを有している。
【００３９】
垂直部５１０は、ＵＳＢ３．０用コンタクト群２００の各コンタクトのＴＸ＋信号用コンタクト２１０、ＴＸ−信号用コンタクト２２０、グランド用コンタクト２３０、ＲＸ＋信号用コンタクト２４０及びＲＸ−信号用コンタクト２５０の導出部２１３、２２３、２３３、２４３、２５３が通される５つの貫通孔５１１が設けられている。ベース部５２０は基板１０上に載置される板状体である。このベース部５２０には、ＵＳＢ２．０用コンタクト群３００のＶｂｕｓ用コンタクト３１０、Ｄａｔｅ−用コンタクト３２０、Ｄａｔｅ＋用コンタクト３３０及びＧＮＤ用コンタクト３４０の後述する接続部３１５、３２５、３３５、３４５が通される４つの貫通孔５２１が設けられている。また、ベース部５２０上には、ボディ１００の両端部に係止される一対の係止アームが設けられている。
【００４０】
ＵＳＢ３．０用コンタクト群２００は、図２、図３及び図９に示すように、ＴＸ＋信号用コンタクト２１０（差動信号用の一対の第１のコンタクトの一方）と、ＴＸ−信号用コンタクト２２０（前記第１のコンタクトの他方）と、グランド用コンタクト２３０と、ＲＸ＋信号用コンタクト２４０（差動信号用の一対の第１のコンタクトの一方）と、ＲＸ−信号用コンタクト２５０（前記第１のコンタクトの他方）とを有している。
【００４１】
ＴＸ＋信号用コンタクト２１０は、図９、図１０及び図１１（ａ）に示すように、断面視略Ｌ字状の導電端子である。このＴＸ＋信号用コンタクト２１０は、板状の本体部２１１と、この本体部２１１の先端に連続する接点部２１２と、本体部２１１の後端に連続する略Ｌ字状の導出部２１３と、この導出部２１３の後端に連続する板状の接続部２１４とを有している。
【００４２】
この本体部２１１は、図１に示されるように、ボディ１００の正面側凹部１１１及び凹部１２１の上方部分にインサート成型により埋設される。本体部２１１は、幅方向に折り曲げられた先端部２１１ａと、後端部２１１ｂとを有する。
【００４３】
接点部２１２は、断面視略Ｕ字状に折り曲げられた本体部２１１よりも幅広の板状体である。この接点部２１２は凸部１２０の先端部にインサート成型により埋設される。接点部２１２の下面は凸部１２０の先端部の下端部に設けられた切欠きから露出し、ＵＳＢ３．０用プラグコンタクトに接触可能になっている。
【００４４】
導出部２１３は背面側凹部１１３から導出される断面視略Ｌ字状の部位である。この導出部２１３の垂直部がスペーサ５００の垂直部５１０の貫通孔５１１に通されるようになっている。
【００４５】
接続部２１４はスペーサ５００から下方に突出し、基板１０の所定の信号ラインに半田付け等により電気的に接続される。
【００４６】
ＴＸ−信号用コンタクト２２０は、図９、図１０及び図１１（ｂ）に示すように、本体部２２１の先端部２２１ａが本体部２１１の先端部２１１ａの反対方向に折り曲げられている以外、ＴＸ＋信号用コンタクト２１０と略同じである。よって、先端部２２１ａ以外の説明は省略する。
【００４７】
本体部２１１の先端部２１１ａと本体部２２１の先端部２２１ａとは互いに反対方向に折り曲げられるため、先端部２２１ａ、２１１ａ間のピッチ間隔が後端部２２１ｂ、２１１ｂ間のピッチ間隔よりも広くなる。このため、本体部２１１の先端部２１１ａのインピーダンスが後端部２１１ｂのインピーダンスよりも高くなり、先端部２１１ａと後端部２１１ｂとの間でインピーダンス不整合が生じると共に、本体部２２１の先端部２２１ａのインピーダンスが後端部２２１ｂのインピーダンスよりも高くなり、先端部２２１ａと後端部２２１ｂとの間でインピーダンス不整合が生じる。この結果、ＴＸ＋信号用コンタクト２１０とＴＸ−信号用コンタクト２２０との間にインピーダンス不整合が生じている。すなわち、先端部２１１ａ、２２１ａが特許請求の範囲における不整合部、後端部２１１ｂ、２２１ｂが他の部分に相当する。
【００４８】
ＲＸ＋信号用コンタクト２４０はＴＸ−信号用コンタクト２２０と形状が対称となっている以外略同じである。ＲＸ−信号用コンタクト２５０はＴＸ＋信号用コンタクト２１０と形状が対称となっている以外略同じである。従って、これらの説明は省略する。
【００４９】
ＧＮＤ用コンタクト２３０は、図９に示すように、本体部２３１が折り曲げられておらず直線状の板体である以外、ＴＸ＋信号用コンタクト２１０等と略同じである。よって、ＧＮＤ用コンタクト２３０の説明は省略する。
【００５０】
ＵＳＢ２．０用コンタクト群３００は、図２、図３及び図９に示すように、Ｖｂｕｓ用コンタクト３１０（第２のコンタクト）と、Ｄａｔｅ−用コンタクト３２０と、Ｄａｔｅ＋用コンタクト３３０と、ＧＮＤ用コンタクト３４０（第２のコンタクト）とを有している。
【００５１】
Ｖｂｕｓ用コンタクト３１０は、図９及び図１０に示されるように、ＴＸ＋信号用コンタクト２１０等よりも小さい断面視略Ｌ字状の導電端子である。このＶｂｕｓ用コンタクト３１０は、図９、図１０及び図１２に示すように、圧入部３１１と、この圧入部３１１の先端に連続する弾性変形部３１２と、この弾性変形部３１２の先端に連続する可動接点部３１３と、圧入部３１１の後端に連続する導出部３１４と、この導出部３１４の後端に連続する接続部３１５とを有している。
【００５２】
圧入部３１１の幅方向の両端部には一対の突起部が設けられている。この突起部を含めた圧入部３１１の幅寸法はボディ１００の圧入孔１１２よりも若干大きくなっている。このため、圧入部３１１がボディ１００の圧入孔１１２に挿入されボディ１００に保持される。このように圧入部３１１がボディ１００に保持されると、図２及び図９に示すように、Ｖｂｕｓ用コンタクト３１０が、ＵＳＢ２．０規格に対応するために、ＴＸ＋信号用コンタクト２１０とＴＸ−信号用コンタクト２２０との間の下方位置にＴＸ＋信号用コンタクト２１０側に偏在して配置される。このため、ＴＸ＋信号用コンタクト２１０とＴＸ−信号用コンタクト２２０との間のインピーダンスの差が生じている。
【００５３】
可動接点部３１３は、図１、図９、図１０及び図１２に示すように、弾性変形部３１２よりも幅狭な断面視略Ｖ字状の板状体である。この可動接点部３１３の先端部３１３ａが舌状に延びている。
【００５４】
弾性変形部３１２は、図１に示すように、下り傾斜した略長方形の板状体であって、上下方向に弾性変形可能になっている。
【００５５】
圧入部３１１がボディ１００内に保持された状態で、弾性変形部３１２がボディ１００の正面側凹部１１１及び凹部１２１内に挿入され、可動接点部３１３がボディ１００の凹部１２１に挿入される。この状態で、可動接点部３１３の先端部３１３ａが凹部１２１のガイド穴１２１ａに挿入され、当該ガイド穴１２１ａの掛け止め部１２１ｂに当接する。先端部３１３ａが掛け止め部１２１ｂに当接すると、弾性変形部３１２が若干上方に弾性変形する。これにより、Ｖｂｕｓ用コンタクト３１０が掛け止め部１２１ｂにプリロード状態で係止され、可動接点部３１３の頂部が凹部１２１から下方に突出する。
【００５６】
先端部３１３ａは、弾性変形部３１２の弾性変形に伴って、ガイド穴１２１ａにガイドされつつ、図５（ａ）示す当接位置から図５（ｂ）に示す挿入位置にかけて変位する。前記当接位置とは、先端部３１３ａが掛け止め部１２１ｂに当接する位置のことである。前記挿入位置とは、先端部３１３ａがＴＸ＋信号用コンタクト２１０の本体部２１１の先端部２１１ａとＴＸ−信号用コンタクト２２０の本体部２２１の先端部２２１ａとの間に挿入された位置のことである。挿入位置における先端部３１３ａと先端部２１１ａとの間の距離は、図４（ｂ）に示す弾性変形部３１２の後述する端部３１２ａとＴＸ＋信号用コンタクト２１０の本体部２１１の後端部２１１ｂとの間の距離よりも近くなり、挿入位置における先端部３１３ａと先端部２２１ａとの間の距離は、図４（ｂ）に示す弾性変形部３１２の後述する端部３１２ｂとＴＸ−信号用コンタクト２２０の本体部２２１の後端部２２１ｂとの間の距離よりも近くなる。このため、先端部３１３ａが当接位置から挿入位置にかけて変位し、先端部２１１ａ、２２１ａ間に挿入されると、先端部２１１ａ、２２１ａの静電容量が各々増加し、当該先端部２１１ａ、２２１ａのインピーダンスが各々低下する。これにより、ＴＸ＋信号用コンタクト２１０の本体部２１１の先端部２１１ａと後端部２１１ｂとの間のインピーダンス整合が図られると共に、ＴＸ−信号用コンタクト２２０の本体部２２１の先端部２２１ａと後端部２２１ｂとのインピーダンス整合が図られる。すなわち、先端部３１３ａが特許請求の範囲における調整部として機能する。
【００５７】
なお、挿入位置における先端部３１３ａと先端部２１１ａとの間の距離と、先端部３１３ａと先端部２２１ａとの間の距離とが略同じであるため、先端部２１１ａ、２２１ａの静電容量が同様に増加し、当該先端部２１１ａ、２２１ａのインピーダンスが同様に低下する。また、先端部２１１ａ、２２１ａ間のピッチ間隔が後端部２１１ｂ、２２１ｂ間のピッチ間隔よりも広くなっているため、挿入位置で先端部３１３ａと先端部２２１ａ、２１１ａとが干渉しないようになっている。
【００５８】
弾性変形部３１２がボディ１００の正面側凹部１１１及び凹部１２１内に挿入された状態で、当該弾性変形部３１２の幅方向の端部３１２ａ、３１２ｂ（これが特許請求の範囲における第１、第２の重複部）が、図４、図９及び図１０に示すように、ＴＸ＋信号用コンタクト２１０の本体部２１１の後端部２１１ｂ、ＴＸ−信号用コンタクト２２０の本体部２２１の後端部２２１ｂと平面位置的に重なるように配置される。
【００５９】
端部３１２ａのＴＸ＋信号用コンタクト２１０の後端部２１１ｂに対する重なり面積と、端部３１２ｂのＴＸ−信号用コンタクト２２０の後端部２２１ｂに対する重なり面積とは、当該ＴＸ＋信号用コンタクト２１０とＴＸ−信号用コンタクト２２０との間のインピーダンスの差に応じて調整されている。本実施形態においては、端部３１２ａ、３１２ｂのうちＴＸ−信号用コンタクト２２０側の端部３１２ｂが、端部３１２ａのＴＸ＋信号用コンタクト２１０の後端部２１１ｂに対する重なり面積と端部３１２ｂのＴＸ−信号用コンタクト２２０の後端部２２１ｂに対する重なり面積とが略同じになるように幅方向に拡張されている。即ち、弾性変形部３１２の幅形状が、ＴＸ＋信号用コンタクト２１０のインピーダンスとＴＸ−信号用コンタクト２２０のインピーダンスとが略同じになるように設定されている。なお、圧入部３１１及び導出部３１４の各幅についても、弾性変形部３１２の幅に併せて設定されている。
【００６０】
このため、Ｖｂｕｓ用コンタクト３１０がＴＸ＋信号用コンタクト２１０側に偏在していることを起因とするＴＸ＋信号用コンタクト２１０とＴＸ−信号用コンタクト２２０とのインピーダンス不整合が是正される。
【００６１】
弾性変形部３１２の端部３１２ａ、３１２ｂの間の中間部には長孔状の開口３１２ｃ（弾性力抑制手段）が開設されている。このように開口３１２ｃを設けることにより、Ｖｂｕｓ用コンタクト３１０の端部３１２ａを拡張したことによる当該Ｖｂｕｓ用コンタクト３１０の弾性力の上昇を抑制することができる。その結果、Ｖｂｕｓ用コンタクト３１０の弾性力の上昇に伴う当該Ｖｂｕｓ用コンタクト３１０のＵＳＢ２．０用プラグコンタクトに対する接点圧の上昇を抑制し、ＵＳＢ２．０用プラグコンタクトとの好適な電気的接続を図ることができる所定の値に設定することができる。
【００６２】
導出部３１４は、図１、図１０及び図１２に示すように、断面視略Ｌ字状の板状体である。この導出部３１４はボディ１００から後方に突出する。
【００６３】
接続部３１５は、図１、図１０及び図１２に示すように、直線状の板状体である。この接続部３１５がスペーサ５００のベース部５２０の貫通孔５２１に通され、基板１０の所定の信号ラインに半田付け等により電気的に接続される。
【００６４】
ＧＮＤ用コンタクト３４０は、図９に示されるように、Ｖｂｕｓ用コンタクト３１０と形状が対称であり、幅方向の端部３４２ａ、３４２ｂがＲＸ−信号用コンタクト２５０、ＲＸ＋信号用コンタクト２４０に平面位置的に重なっている以外同じものである。従って、ＧＮＤ用コンタクト３４０の説明は省略する。
【００６５】
また、Ｄａｔｅ−用コンタクト３２０は、図９に示されるように、断面視略Ｌ字状の導電端子である。Ｄａｔｅ−用コンタクト３２０は、圧入部３２１と、この圧入部３２１の先端に連続する弾性変形部３２２と、この弾性変形部３２２の先端に連続する可動接点部３２３と、圧入部３２１の後端に連続する導出部３２４と、この導出部３２４の後端に連続する接続部３２５とを有している。
【００６６】
圧入部３２１が圧入部３１１よりも幅寸法が小さくなっている以外は、圧入部３１１と略同じである。圧入部３２１がボディ１００の圧入孔１１２に圧入されることにより、Ｄａｔｅ−用コンタクト３２０がＧＮＤ用コンタクト２３０の下方の図示左側に配置される。
【００６７】
可動接点部３２３は可動接点部３１３と略同じ断面視略Ｖ字状の板状体である。弾性変形部３２２は、幅寸法が可動接点部３２３と同じであり且つ開口３１２が設けられていない点以外、弾性変形部３１２と同じである。導出部３２４及び接続部３２５も、幅寸法が導出部３１４及び接続部３１５と異なっている以外、略同じである。
【００６８】
Ｄａｔｅ＋用コンタクト３３０はＤａｔｅ−用コンタクト３２０と同じコンタクトである。Ｄａｔｅ＋用コンタクト３３０は、圧入部３３１がボディ１００の圧入孔１１２に圧入されることにより、ＧＮＤ用コンタクト２３０の下方の図示右側に配置される。これ以外の説明は、Ｄａｔｅ−用コンタクト３２０と同じであるため、省略する。
【００６９】
以上のような構成のレセプタクルコネクタは次のように組み立てられる。まず、シェル本体４１０にボディ１００を取り付ける。このとき、カバー４２０はシェル本体４１０の天板と平行な状態にある。
【００７０】
その後、Ｖｂｕｓ用コンタクト３１０の可動接点部３１３をボディ１００の背面側から正面側凹部１１１に挿入する。その後、可動接点部３１３をボディ１００の先端側に移動させ、Ｖｂｕｓ用コンタクト３１０の圧入部３１１をボディ１００の圧入孔１１２に押し込む。すると、Ｖｂｕｓ用コンタクト３１０の弾性変形部３１２がボディ１００の正面側凹部１１１及び凹部１２１内に挿入され、可動接点部３１３がボディ１００の凹部１２１に挿入される。このとき、可動接点部３１３の先端部３１３ａが凹部１２１のガイド穴１２１ａに挿入され、当該ガイド穴１２１ａの掛け止め部１２１ｂに当接してプリロード状態で係止される。このようにしてＶｂｕｓ用コンタクト３１０がボディ１００に取り付けられる。
【００７１】
その後、Ｄａｔｅ−用コンタクト３２０、Ｄａｔｅ＋用コンタクト３３０及びＧＮＤ用コンタクト３４０を、Ｖｂｕｓ用コンタクト３１０と同様にボディ１００に取り付ける。これにより、Ｖｂｕｓ用コンタクト３１０がＴＸ＋信号用コンタクト２１０及びＴＸ−信号用コンタクト２２０の異なる高さ位置で、平面位置的にＴＸ＋信号用コンタクト２１０とＴＸ−信号用コンタクト２２０との間に配置される。Ｄａｔｅ−用コンタクト３２０及びＤａｔｅ＋用コンタクト３３０がグランド用コンタクト２３０の鉛直位置の両側に配置される。ＧＮＤ用コンタクト３４０が、ＲＸ＋信号用コンタクト２４０及びＲＸ−信号用コンタクト２５０の異なる高さ位置で、平面位置的にＲＸ＋信号用コンタクト２４０とＲＸ−信号用コンタクト２５０との間に配置される。
【００７２】
この状態で、ＴＸ＋信号用コンタクト２１０、ＴＸ−信号用コンタクト２２０、グランド用コンタクト２３０、ＲＸ＋信号用コンタクト２４０及びＲＸ−信号用コンタクト２５０の接続部２１４、２２４、２３４、２４４、２５４をスペーサ５００の貫通孔５１１に各々挿入すると共に、Ｖｂｕｓ用コンタクト３１０、Ｄａｔｅ−用コンタクト３２０、Ｄａｔｅ＋用コンタクト３３０及びＧＮＤ用コンタクト３４０の接続部３１５、３２５、３３５、３４５をスペーサ５００の貫通孔５２１に各々挿入する。
【００７３】
その後、スペーサ５００をボディ１００の背面側凹部１１３に挿入する。すると、ＴＸ＋信号用コンタクト２１０、ＴＸ−信号用コンタクト２２０、グランド用コンタクト２３０、ＲＸ＋信号用コンタクト２４０及びＲＸ−信号用コンタクト２５０の導出部２１３、２２３、２３３、２４３がスペーサ５００の貫通孔５１１に挿入され、接続部２１４、２２４、２３４、２４４、２５４が当該貫通孔５１１から下方に突出する。これと共に、Ｖｂｕｓ用コンタクト３１０、Ｄａｔｅ−用コンタクト３２０、Ｄａｔｅ＋用コンタクト３３０及びＧＮＤ用コンタクト３４０の接続部３１５、３２５、３３５、３４５の下端部がスペーサ５００の貫通孔５２１から下方に突出する。
【００７４】
その後、カバー４２０を略直角に折り曲げる。これによりカバー４２０がスペーサ５００の背面を覆う。
【００７５】
このようにして組み立てられたレセプタクルコネクタを基板１０上に実装する。すなわち、ＴＸ＋信号用コンタクト２１０、ＴＸ−信号用コンタクト２２０、ＲＸ＋信号用コンタクト２４０及びＲＸ−信号用コンタクト２５０の接続部２１４、２２４、２４４、２５４を基板１０の信号ラインに各々接続し、グランド用コンタクト２３０の接続部２３４を基板１０のグランドラインに接続する。これと共に、Ｖｂｕｓ用コンタクト３１０、Ｄａｔｅ−用コンタクト３２０及びＤａｔｅ＋用コンタクト３３０の接続部３１５、３２５、３３５を基板１０の信号ラインに各々接続し、ＧＮＤ用コンタクト３４０の接続部３４５を基板１０のグランドラインに接続する。更に、シェル４００の一対の接続片４１１を基板１０のグランドラインに接続する。
【００７６】
このように基板１０上に実装されたレセプタクルコネクタは以下のようにＵＳＢ３．０用プラグ及びＵＳＢ２．０用プラグが接続される。
【００７７】
ＵＳＢ３．０用プラグがプラグ挿入空間αに挿入されると、ＵＳＢ３．０用プラグのコンタクトが、ＵＳＢ３．０用コンタクト群２００の接点部２１２、２２２、２３２、２４２、２５２に各々接触する。これと共に、ＵＳＢ３．０用プラグによりＵＳＢ２．０用コンタクト群３００の可動接点部３１３、３２３、３３３、３４３の頂部が押圧され、可動接点部３１３、３２３、３３３、３４３及び弾性変形部３１２、３２２、３３２、３４２がボディ１００の正面側凹部１１１及び凹部１２１内を上方に弾性変形する。
【００７８】
このとき、可動接点部３１３の先端部３１３ａが、ボディ１００のガイド穴１２１ａにガイドされつつ、図５（ａ）に示す当接位置から図５（ｂ）に示す挿入位置にかけて変位する。すると、先端部３１３ａがＴＸ＋信号用コンタクト２１０の先端部２１１ａとＴＸ−信号用コンタクト２２０の先端部２２１ａとの間に挿入され、当該ＴＸ＋信号用コンタクト２１０の先端部２１１ａとＴＸ−信号用コンタクト２２０の先端部２２１ａとに接近する。この状態で、先端部３１３ａと先端部２１１ａとの間の距離が、図４（ｂ）に示す弾性変形部３１２の端部３１２ａと後端部２１１ｂとの間の距離よりも近くなり、且つ先端部３１３ａと先端部２２１ａとの間の距離が、図４（ｂ）に示す弾性変形部３１２の端部３１２ｂと後端部２２１ｂとの間の距離よりも近くなる。このため、先端部２１１ａ、２２１ａの静電容量が増加し、先端部２１１ａ、２２１ａインピーダンスが低下する。よって、先端部２１１ａと後端部２１１ｂとの間のインピーダンス整合が図られると共に、先端部２２１ａと後端部２２１ｂとの間のインピーダンス整合が図られる。なお、前記挿入位置で、先端部３１３ａは先端部２１１ａ、２２１ａに対して等距離に位置しているので、先端部２１１ａの静電容量と先端部２２１ａの静電容量とが同様に増加し、先端部２１１ａのインピーダンスと先端部２２１ａのインピーダンスとが同様に低下する。
【００７９】
同様に、可動接点部３４３の先端部３４３ａが、ボディ１００のガイド穴１２１ａにガイドされつつ、前記当接位置から前記挿入位置にかけて変位する。すると、先端部３４３ａが、ＲＸ＋信号用コンタクト２４０の先端部２４１ａとＲＸ−信号用コンタクト２５０の先端部２５１ａとの間に挿入される。この状態で、先端部３４３ａと先端部２４１ａとの間の距離が、弾性変形部３４２の端部３４２ｂと後端部２４１ｂとの間の距離よりも近くなる。同様に、先端部３４３ａと先端部２５１ａとの間の距離が、弾性変形部３４２の端部３４２ａと後端部２５１ｂとの間の距離よりも近くなる。このため、先端部２４１ａ、２５１ａの静電容量が増加し、先端部２４１ａ、２５１ａのインピーダンスが低下する。よって、先端部２４１ａと後端部２４１ｂとの間のインピーダンス整合が図られると共に、先端部２５１ａと後端部２５１ｂとの間のインピーダンス整合が図られる。なお、前記挿入位置で、先端部３４３ａは先端部２４１ａ、２５１ａに対して等距離に位置しているので、先端部２４１ａの静電容量と先端部２５１ａの静電容量が同様に増加し、先端部２４１ａのインピーダンスと先端部２５１ａのインピーダンスとが同様に低下する。
【００８０】
これと共に、可動接点部３２３の先端部３２３ａ及び可動接点部３３３の先端部３３３ａは、ボディ１００のガイド穴１２１ａにガイドされつつ、上方に変位する。これにより、可動接点部３２３、３３３及び弾性変形部３２２、３３２がグランド用コンタクト２３０の本体部２３１に対して略平行になる。
【００８１】
ＵＳＢ２．０用プラグがプラグ挿入空間αに挿入されると、ＵＳＢ２．０用コンタクト群３００の可動接点部３１３、３２３、３３３、３４３の頂部がＵＳＢ２．０用プラグコンタクトに各々接触し押圧される。これにより、可動接点部３１３、３２３、３３３、３４３及び弾性変形部３１２、３２２、３３２、３４２がボディ１００の正面側凹部１１１及び凹部１２１内を上方に弾性変形する。
【００８２】
このとき、可動接点部３１３の先端部３１３ａが、ボディ１００のガイド穴１２１ａにガイドされつつ、図５（ａ）に示す当接位置から図５（ｂ）に示す挿入位置にかけて変位する。すると、先端部３１３ａがＴＸ＋信号用コンタクト２１０の先端部２１１ａとＴＸ−信号用コンタクト２２０の先端部２１１ａと間に挿入される。
【００８３】
同様に、可動接点部３４３の先端部３４３ａが、ボディ１００のガイド穴１２１ａにガイドされつつ、前記当接位置から前記挿入位置にかけて変位する。すると、先端部３４３ａが、ＲＸ＋信号用コンタクト２４０の先端部２４１ａとＲＸ−信号用コンタクト２５０の先端部２５１ａとの間に挿入される。
【００８４】
これと共に、可動接点部３２３の先端部３２３ａ及び可動接点部３３３の先端部３３３ａは、ボディ１００のガイド穴１２１ａにガイドされつつ、上方に変位する。これにより、これにより、可動接点部３２３、３３３及び弾性変形部３２２、３３２がグランド用コンタクト２３０の本体部２３１に対して略平行になる。
【００８５】
上述したレセプタクルコネクタによる場合、ＵＳＢ３．０用プラグがプラグ挿入空間αに挿入されると、Ｖｂｕｓ用コンタクト３１０の弾性変形部３１２及びＧＮＤ用コンタクト３４０の弾性変形部３４２が上方に弾性変形する。これにより、Ｖｂｕｓ用コンタクト３１０の可動接点部３１３の先端部３１３ａ及びＧＮＤ用コンタクト３４０の可動接点部３４３の可動接点部３４３の先端部３４３ａが上記当接位置から挿入位置にかけて移動する。すると、先端部３１３ａがＴＸ＋信号用コンタクト２１０の先端部２１１ａとＴＸ−信号用コンタクト２２０の先端部２２１ａとの間に挿入され、先端部３４３ａがＲＸ＋信号用コンタクト２４０の先端部２４１ａとＲＸ−信号用コンタクト２５０の先端部２５１ａとの間に挿入される。前記挿入位置において、先端部３１３ａと先端部２１１ａとの間の距離は、弾性変形部３１２の端部３１２ａとＴＸ＋信号用コンタクト２１０の本体部２１１の後端部２１１ｂとの間の距離よりも近くなり、当該先端部３１３ａと先端部２２１ａとの間の距離も弾性変形部３１２の端部３１２ｂとＴＸ−信号用コンタクト２２０の本体部２２１の後端部２２１ｂとの間の距離よりも近くなる。また、先端部３４３ａと先端部２４１ａとの間の距離も、弾性変形部３４２の端部３４２ｂとＲＸ＋信号用コンタクト２４０の本体部２４１の後端部２４１ｂとの間の距離よりも近くなり、当該先端部３４３ａと先端部２５１ａとの間の距離も弾性変形部３４２の端部３４２ａとＲＸ−信号用コンタクト２５０の後端部２５１ｂとの間の距離よりも近くなる。このため、先端部２１１ａ、２２１ａ、２４１ａ、２５１ａの静電容量が各々増加し、当該先端部２１１ａ、２２１ａ、２４１ａ、２５１ａのインピーダンスが各々低下する。このようにＵＳＢ２．０規格用のＶｂｕｓ用コンタクト３１０を利用してＴＸ＋信号用コンタクト２１０の本体部２１１の先端部２１１ａと後端部２１１ｂとの間及びＴＸ−信号用コンタクト２２０の本体部２２１の先端部２２１ａと後端部２２１ｂとの間のインピーダンス整合を行い、且つＧＮＤ用コンタクト３４０を利用してＲＸ＋信号用コンタクト２４０の先端部２４１ａと後端部２４１ｂとの間、及びＲＸ−信号用コンタクト２５０の先端部２５１ａと後端部２５１ｂとの間のインピーダンス整合を行い、その結果としてＴＸ＋信号用コンタクト２１０とＴＸ−信号用コンタクト２２０との間及びＲＸ＋信号用コンタクト２４０とＲＸ−信号用コンタクト２５０のとの間のインピーダンス整合を行うことができる。
【００８６】
しかも、Ｖｂｕｓ用コンタクト３１０の端部３１２ａ、３１２ｂのうち一方の端部３１２ｂが幅方向に拡張され、端部３１２ａのＴＸ＋信号用コンタクト２１０の本体部２１１の後端部２１１ｂに対する重なり面積と、端部３１２ｂのＴＸ−信号用コンタクト２２０の本体部２２１の後端部２２１ｂに対する重なり面積とが略同じになっている。同様に、ＧＮＤ用コンタクト３４０の端部３４２ａ、３４２ｂうち一方の端部３４２ｂが幅方向に拡張され、端部３４２ａのＲＸ＋信号用コンタクト２４０の本体部２４１の後端部２４１ｂに対する重なり面積と、端部３４２ｂのＲＸ−信号用コンタクト２５０の本体部２５１の後端部２５１ｂに対する重なり面積とが略同じになっている。このため、ＵＳＢ２．０規格に応じて、Ｖｂｕｓ用コンタクト３１０がＴＸ＋信号用コンタクト２１０側に、ＧＮＤ用コンタクト３４０がＲＸ−信号用コンタクト２５０側に偏在して配置されたとしても、ＴＸ＋信号用コンタクト２１０とＴＸ−信号用コンタクト２２０とのインピーダンス整合及びＲＸ＋信号用コンタクト２４０とＲＸ−信号用コンタクト２５０とのインピーダンス整合を図ることができる。この点でも、ＵＳＢ２．０規格用のＶｂｕｓ用コンタクト３１０及びＧＮＤ用コンタクト３４０を用いてＴＸ＋信号用コンタクト２１０とＴＸ−信号用コンタクト２２０との間のインピーダンス整合及びＲＸ＋信号用コンタクト２４０とＲＸ−信号用コンタクト２５０との間のインピーダンス整合を図ることができる。
【００８７】
すなわち、ＵＳＢ２．０規格用のＶｂｕｓ用コンタクト３１０及びＧＮＤ用コンタクト３４０を用いてＴＸ＋信号用コンタクト２１０の本体部２１１の先端部２１１ａと後端部２１１ｂとの間、ＴＸ−信号用コンタクト２２０の本体部２２１の先端部２２１ａと後端部２２１ｂとの間、ＲＸ＋信号用コンタクト２４０の先端部２４１ａと後端部２４１ｂとの間、及びＲＸ−信号用コンタクト２５０の先端部２５１ａと後端部２５１ｂとの間のインピーダンス整合を各々行うと共に、ＴＸ＋信号用コンタクト２１０とＴＸ−信号用コンタクト２２０との間のインピーダンス整合及びＲＸ＋信号用コンタクト２４０とＲＸ−信号用コンタクト２５０との間のインピーダンス整合を図ることができる。よって、構成が簡単になり、低コスト化を図ることができると共に、一対の差動信号用のＴＸ＋信号用コンタクト２１０及びＴＸ−信号用コンタクト２２０と、別の一対の差動信号用のＲＸ＋信号用コンタクト２４０及びＲＸ−信号用コンタクト２５０との伝送特性の劣化を防止することができる。
【００８８】
更に、Ｖｂｕｓ用コンタクト３１０、ＧＮＤ用コンタクト３４０は、弾性変形部３１２の端部３１２ａ、３１２ｂの間の中間部、弾性変形部３４２の端部３４２ａ、３４２ｂの間の中間部に開口３１２ｃ、３４２ｃが設けられているので、端部３１２ｂ、３４２ｂを拡張することにより向上するＶｂｕｓ用コンタクト３１０及びＧＮＤ用コンタクト３４０の弾性力を低下させることができる。その結果、Ｖｂｕｓ用コンタクト３１０及びＧＮＤ用コンタクト３４０のＵＳＢ２．０用プラグコンタクトに対する接点圧を所定の接点圧まで低下させることができる。
【００８９】
また、開口３１２ｃの大きさ及び／又は形状を各々可変することによって、端部３１２ａ、３１２ｂのＴＸ＋信号用コンタクト２１０、ＴＸ−信号用コンタクト２２０に対する重なり面積を調整することができるので、ＴＸ＋信号用コンタクト２１０とＴＸ−信号用コンタクト２２０との間のインピーダンス調整を簡単に行うことができる。同様に、開口３４２ｃの大きさ及び／又は形状を各々可変することによっても、ＲＸ＋信号用コンタクト２４０とＲＸ−信号用コンタクト２５０との間のインピーダンス調整を簡単に行うことができる。
【００９０】
また、前記中間部に開口３１２ｃ、３４２ｃを設けることにより、端部３１２ａ、３１２ｂのＴＸ＋信号用コンタクト２１０、ＴＸ−信号用コンタクト２２０に対する重なり面積及び端部３４２ａ、３４２ｂのＲＸ＋信号用コンタクト２４０、ＲＸ−信号用コンタクト２５０に対する重なり面積を小さくすることが可能になる。よって、ＴＸ＋信号用コンタクト２１０、ＴＸ−信号用コンタクト２２０、ＲＸ＋信号用コンタクト２４０及びＲＸ−信号用コンタクト２５０のインピーダンスを小さくすることが可能になる。
【００９１】
なお、上述したコネクタは、上記実施の形態に限定されるものではなく、特許請求の範囲において任意に設計変更することが可能である。以下、詳しく説明する。図１３は同コネクタのＴＸ＋信号用コンタクト、ＴＸ−信号用コンタクト及びＶｂｕｓ用コンタクトの設計変更例を示す模式図であって、（ａ）が底面図、（ｂ）が断面図、図１４は同コネクタのＴＸ＋信号用コンタクト、ＴＸ−信号用コンタクト及びＶｂｕｓ用コンタクトの別の設計変更例を示す模式図であって、（ａ）が底面図、（ｂ）が断面図、図１５は同コネクタのＶｂｕｓ用コンタクトの設計変更例を示す模式的底面図であって、（ａ）は開口が設けられていない形状を示す図、（ｂ）が弾性変形部の中間部が折り曲げられた形状を示す図、（ｃ）が弾性変形部の両端に半円状の重複部が設けられた状態を示す図である。
【００９２】
ボディ１００については、第１のコンタクトと、この第１のコンタクトと異なる高さ位置で平面位置的に当該第１のコンタクトの間に配設された第２のコンタクトとを保持可能である限り任意に設計変更することが可能である。
【００９３】
また、ＵＳＢ３．０用コンタクト群２００の各コンタクトの形状及び配置については、上記実施例に限定されるものではなく、任意に設計変更することが可能である。即ち、ＵＳＢ３．０用コンタクト群２００については、上記実施の形態では、ＵＳＢ３．０の規格に対応するものであるとしたが、これに限定されるものではなく、その他の規格に任意に適応可能である。
【００９４】
また、ＵＳＢ３．０用コンタクト群２００の各コンタクトは、ボディ１００に埋設されているとしたが、これに限定されるものではない。例えば、Ｖｂｕｓ用コンタクト３１０等と同様に圧入孔を設け、当該圧入孔にＵＳＢ３．０用コンタクト群２００の各コンタクトを圧入するようにしても構わない。
【００９５】
上記実施の形態では、先端部３１３ａがＴＸ＋信号用コンタクト２１０の先端部２１１ａとＴＸ−信号用コンタクト２２０の先端部２２１ａとの間に挿入され、先端部３４３ａがＲＸ＋信号用コンタクト２４０の先端部２４１ａとＲＸ−信号用コンタクト２５０の先端部２５１ａとの間に挿入されるとしたが、先端部３１３ａがＴＸ＋信号用コンタクト２１０の先端部２１１ａとＴＸ−信号用コンタクト２２０の先端部２２１ａとに接近し、先端部３４３ａがＲＸ＋信号用コンタクト２４０の先端部２４１ａとＲＸ−信号用コンタクト２５０の先端部２５１ａに接近しさえすれば良い。この場合であっても、ＴＸ＋信号用コンタクト２１０の本体部２１１の先端部２１１ａと後端部２１１ｂとの間、ＴＸ−信号用コンタクト２２０の本体部２２１の先端部２２１ａと後端部２２１ｂとの間、ＲＸ＋信号用コンタクト２４０の先端部２４１ａと後端部２４１ｂとの間、及びＲＸ−信号用コンタクト２５０の先端部２５１ａと後端部２５１ｂとの間のインピーダンス整合を各々行うことが可能である。なお、以下、先端部３４３ａと、ＲＸ＋信号用コンタクト２４０の先端部２４１ａ及びＲＸ−信号用コンタクト２５０の先端部２５１ａとの関係については説明を省略し、先端部３１３ａがＴＸ＋信号用コンタクト２１０の先端部２１１ａとＴＸ−信号用コンタクト２２０の先端部２２１ａとの関係について述べる。その理由は、後者の説明は前者の説明にそのまま用いることができるからである。
【００９６】
また、上記実施の形態では、前記挿入位置において、先端部３１３ａと先端部２１１ａとの間の距離が、弾性変形部３１２の端部３１２ａとＴＸ＋信号用コンタクト２１０の後端部２１１ｂとの間の距離よりも近くなり、当該先端部３１３ａと先端部２２１ａとの間の距離が弾性変形部３１２の端部３１２ｂとＴＸ−信号用コンタクト２２０の後端部２２１ｂとの間の距離よりも近くなるとしたが、これに限定されるものではない。先端部２１１ａ、２２１ａの間のピッチ間隔や形状等に応じて、先端部３１３ａがＴＸ＋信号用コンタクト２１０の先端部２１１ａとＴＸ−信号用コンタクト２２０の先端部２２１ａとに接近した状態で、先端部３１３ａと先端部２１１ａとの間の距離が、弾性変形部３１２の端部３１２ａとＴＸ＋信号用コンタクト２１０の後端部２１１ｂとの間の距離と略同じ又は遠くなり、当該先端部３１３ａと先端部２２１ａとの間の距離が弾性変形部３１２の端部３１２ｂとＴＸ−信号用コンタクト２２０の後端部２２１ｂとの間の距離と略同じ又は遠くなることがある。この場合であっても、先端部３１３ａがＴＸ＋信号用コンタクト２１０の先端部２１１ａとＴＸ−信号用コンタクト２２０の先端部２２１ａとに接近することにより、ＴＸ＋信号用コンタクト２１０の本体部２１１の先端部２１１ａと後端部２１１ｂとの間及びＴＸ−信号用コンタクト２２０の本体部２２１の先端部２２１ａと後端部２２１ｂとの間のインピーダンス整合を行うことができる。
【００９７】
また、上記実施の形態では、上記挿入位置において、先端部３１３ａが先端部２１１ａ、２２１ａに対して等距離に位置するとしたが、これに限定されるものではない。例えば、先端部２１１ａ、２２１ａの幅寸法等の形状が相違する場合には、上記挿入位置において、先端部３１３ａと先端部２１１ａとの間の距離と、先端部３１３ａと先端部２２１ａとの間の距離が略同じでなくても良い。また、上述したように、先端部３１３ａが先端部２１１ａ、２２１ａに接近するだけであっても、同様のことが言える。
【００９８】
上記実施の形態では、本体部２１１、２２１の先端部２１１ａ、２２１ａが、本体部２１１、２２１の後端部２１１ｂ、２２１ｂとインピーダンスの差が生じる不整合部であるとしたが、これに限定されるものではない。例えば、図１３（ａ）に示すように、本体部２１１、２２１の中間部２１１ｃ、２２１ｃのピッチ間隔が幅広になっている場合、中間部２１１ｃ、２２１ｃが不整合部となり、本体部２１１、２２１の中間部２１１ｃ、２２１ｃ以外の部分が他の部分となる。この場合、図１３（ｂ）に示すように、Ｖｂｕｓ用コンタクト３１０の弾性変形部３１２の中間部の折り曲げ部３１２ｄが、当該弾性変形部３１２の弾性変形に応じて、中間部２１１ｃ、２２１ｃに接近する構成とすれば良い。すなわち、折り曲げ部３１２ｄが調整部として機能することになる。なお、特許請求の範囲における他の部分は、本体部の不整合部以外の部分であることに限定されない。すなわち、前記他の部分は不整合部との関係で適宜設定されることになる。
【００９９】
また、上記実施の形態では、先端部２１１ａと先端部２２１ａとの間のピッチ間隔が後端部２１１ｂと後端部２２１ｂとの間のピッチ間隔よりも広いことを起因として、先端部２１１ａ、２２１ａが不整合部となるとしたが、これに限定されるものではない。例えば、先端部２１１ａ、２２１ａの幅寸法や厚み寸法等の形状が後端部２１１ｂ、２２１ｂと相違すること等によっても先端部２１１ａ、２２１ａが不整合部となり得る。この点は、述のように先端部２１１ａ、２２１ａ以外の部分が不整合部である場合も同様である。
【０１００】
また、先端部２１１ａと先端部２２１ａとの間のピッチ間隔が後端部２１１ｂと後端部２２１ｂとの間のピッチ間隔よりも狭いこと等を起因としても、先端部２１１ａ、２２１ａが不整合部ともなり得る。すなわち、先端部２１１ａ、２２１ａのインピーダンスが後端部２１１ｂ、２２１ｂのインピーダンスよりも低くなる。この場合、図１４に示すように、ＴＸ＋信号用コンタクト２１０及びＴＸ−信号用コンタクト２２０をＶｂｕｓ用コンタクト３１０から離れる方向に弾性変形させ、当該ＴＸ＋信号用コンタクト２１０の本体部２１１の先端部２１１ａとＴＸ−信号用コンタクト２２０の本体部２２１の先端部２２１ａをＶｂｕｓ用コンタクト３１０の先端部３１３ａから離れる方向に変位させる。この変位により、先端部２１１ａ、２２１ａの静電容量が低減し、インピーダンスが上昇する。この場合でも、ＵＳＢ２．０規格用のＶｂｕｓ用コンタクト３１０を利用してＴＸ＋信号用コンタクト２１０の本体部２１１の先端部２１１ａと後端部２１１ｂとの間及びＴＸ−信号用コンタクト２２０の本体部２２１の先端部２２１ａと後端部２２１ｂとの間のインピーダンス整合を行うことができる。なお、ＴＸ＋信号用コンタクト２１０及びＴＸ−信号用コンタクト２２０ではなく、Ｖｂｕｓ用コンタクト３１０をＴＸ＋信号用コンタクト２１０及びＴＸ−信号用コンタクト２２０から離れる方向に弾性変形させ、Ｖｂｕｓ用コンタクト３１０の先端部３１３ａをＴＸ＋信号用コンタクト２１０の本体部２１１の先端部２１１ａとＴＸ−信号用コンタクト２２０の本体部２２１の先端部２２１ａから離れる方向に変位させるようにようにしても良い。この点は、上述のように先端部２１１ａ、２２１ａ以外の部分が不整合部である場合も同様に適応可能である。
【０１０１】
また、上記実施の形態においては、Ｖｂｕｓ用コンタクト３１０、Ｄａｔｅ−用コンタクト３２０、Ｄａｔｅ＋用コンタクト３３０及びＧＮＤ用コンタクト３４０が弾性変形する可動端子、ＴＸ＋信号用コンタクト２１０、ＴＸ−信号用コンタクト２２０、グランド用コンタクト２３０、ＲＸ＋信号用コンタクト２４０及びＲＸ−信号用コンタクト２５０がボディ１００に埋設された固定端子であるとしたが、Ｖｂｕｓ用コンタクト３１０、Ｄａｔｅ−用コンタクト３２０、Ｄａｔｅ＋用コンタクト３３０及びＧＮＤ用コンタクト３４０を固定端子、ＴＸ＋信号用コンタクト２１０、ＴＸ−信号用コンタクト２２０、グランド用コンタクト２３０、ＲＸ＋信号用コンタクト２４０及びＲＸ−信号用コンタクト２５０を可動端子とすることができる。この場合、ＴＸ＋信号用コンタクト２１０、ＴＸ−信号用コンタクト２２０、ＲＸ＋信号用コンタクト２４０及びＲＸ−信号用コンタクト２５０がプラグの挿入等により、弾性変形することにより、先端部３１３ａがＴＸ＋信号用コンタクト２１０の先端部２１１ａとＴＸ−信号用コンタクト２２０の先端部２２１ａとに相対的に接近し、先端部３４３ａがＲＸ＋信号用コンタクト２４０の先端部２４１ａとＲＸ−信号用コンタクト２５０の先端部２５１ａに相対的に接近する。
【０１０２】
また、上記実施の形態では、ＴＸ＋信号用コンタクト２１０及びＴＸ−信号用コンタクト２２０と、ＲＸ＋信号用コンタクト２４０及びＲＸ−信号用コンタクト２５０とが一対の差動信号用のコンタクトであるとしたが、差動信号用コンタクト以外のコンタクトであっても良い。すなわち、隣り合うコンタクトとの関係や形状等により、一本のコンタクト（第１のコンタクト）の一部（不整合部）と他の部分との間にインピーダンスの差が生じている場合にも、本発明を適応することが可能である。具体的には、前記第１のコンタクトと異なる高さ位置に配置された第２のコンタクトの一部を、第１又は第２のコンタクトを弾性変形させることにより、前記不整合部に相対的に接近させ、前記第１のコンタクトの不整合部と他の部分との間のインピーダンス整合を行うことができる。
【０１０３】
また、ＵＳＢ２．０用コンタクト群３００の各コンタクトの形状及び配置については、上記実施例に限定されるものではなく、任意に設計変更することが可能である。即ち、ＵＳＢ２．０用コンタクト群３００については、ＵＳＢ２．０の規格に対応するものであるとしたが、これに限定されるものではなく、その他の規格に任意に適応可能である。
【０１０４】
上記実施の形態では、Ｖｂｕｓ用コンタクト３１０の端部３１２ａのＴＸ＋信号用コンタクト２１０の本体部２１１の後端部２１１ｂに対する重なり面積と、Ｖｂｕｓ用コンタクト３１０の端部３１２ｂのＴＸ−信号用コンタクト２２０の本体部２２１の後端部２２１ｂに対する重なり面積とが略同じになっており、ＧＮＤ用コンタクト３４０の端部３４２ａのＲＸ＋信号用コンタクト２４０の本体部２４１の後端部２４１ｂに対する重なり面積と、ＧＮＤ用コンタクト３４０の端部３４２ｂのＲＸ−信号用コンタクト２５０の本体部２５１の後端部２５１ｂに対する重なり面積とが略同じになっていると記述した。しかしながら、Ｖｂｕｓ用コンタクト３１０がＴＸ＋信号用コンタクト２１０側に、ＧＮＤ用コンタクト３４０がＲＸ−信号用コンタクト２５０側に偏在していない場合（すなわち、Ｖｂｕｓ用コンタクト３１０がＴＸ＋信号用コンタクト２１０とＴＸ−信号用コンタクト２２０との間の中間に、ＧＮＤ用コンタクト３４０がＲＸ＋信号用コンタクト２４０とＲＸ−信号用コンタクト２５０との間の中間に配置されている場合）、Ｖｂｕｓ用コンタクト３１０の端部３１２ａ、３１２ｂはＴＸ＋信号用コンタクト２１０、ＴＸ−信号用コンタクト２２０に、ＧＮＤ用コンタクト３４０の端部３４２ａ、３４２ｂはＲＸ＋信号用コンタクト２４０、ＲＸ−信号用コンタクト２５０に、平面位置的に重なっていなくても良い。
【０１０５】
また、上記実施の形態の如く、Ｖｂｕｓ用コンタクト３１０が及びＧＮＤ用コンタクト３４０が偏在している場合、端部３１２ａのＴＸ＋信号用コンタクト２１０の後端部２１１ｂに対する重なり面積と、端部３１２ｂのＴＸ−信号用コンタクト２２０の後端部２２１ｂに対する重なり面積とが、当該ＴＸ＋信号用コンタクト２１０とＴＸ−信号用コンタクト２２０との間のインピーダンスの差に応じて調整されていれば良く、上述のように重なり面積同士を略同じにする必要はない。
【０１０６】
また、上記実施の形態では、弾性変形部３１２の端部３１２ａ、３１２ｂがＴＸ＋信号用コンタクト２１０の本体部２１１の後端部２１１ｂ、ＴＸ−信号用コンタクト２２０の本体部２２１の後端部２２１ｂと平面位置的に重なり、弾性変形部３４２の端部３４２ａ、３４２ｂがＲＸ＋信号用コンタクト２４０の本体部２４１の後端部２４１ｂ、ＲＸ−信号用コンタクト２５０の本体部２５１の後端部２５１ｂに平面位置的に重なっているとしたが、Ｖｂｕｓ用コンタクト３１０及びＧＮＤ用コンタクト３４０の他の部分を平面位置的に重ねるようにしても構わない。
【０１０７】
例えば、図１５（ａ）に示すＶｂｕｓ用コンタクト３１０’のように、弾性変形部３１２’の両端部の一方を拡張せず、一端部（第１の重複部）の第１の差動信号用コンタクトに対する重なり面積と、他端部（第２の重複部）の第２の差動信号用コンタクトに対する重なり面積とを略同じにした形状とすることができる。
【０１０８】
また、図１５（ｂ）に示すように、弾性変形部３１２’の先端部３１２ａ’（第１の重複部）と弾性変形部３１２’（第２の重複部）の基端部３１２ｂ’との間を連結する連結部３１２ｃ’を設けた形状とすることができる。連結部３１２ｃ’は、先端部３１２ａ’、基端部３１２ｂ’に対して直交している。この場合であっても、先端部３１２ａ’の第１の差動用コンタクトに対する重なり面積と基端部３１２ｂ’の第２の差動用コンタクトに対する重なり面積とを略同じにし、第１のコンタクトのインピーダンス整合を図ることができる。なお、連結部３１２ｃ’は、先端部３１２ａ’、基端部３１２ｂ’に対して傾斜していても良い。
【０１０９】
更に、図１５（ｃ）に示すように、弾性変形部３１２’の中間部に半円状の重複部３１２ａ’、３１２ｂ’を設けることができる。重複部３１２ａ’、３１２ｂ’の第１のコンタクトに対する重なり面積も略同じに設定されているので、第１のコンタクトのインピーダンス整合を図ることができる。
【０１１０】
更に、上記実施の形態においては、Ｖｂｕｓ用コンタクト３１０及びＧＮＤ用コンタクト３４０の弾性変形部３１２、３４２の中間部に弾性力抑制手段として開口３１２ｃ、３４２ｃが設けられているとしたが、前記弾性力抑制手段を設けるか否かは任意である。この弾性力抑制手段は、開口に限定されるものではなく、インピーダンス整合のために幅広にされることにより向上するＶｂｕｓ用コンタクト３１０及びＧＮＤ用コンタクト３４０等の第２のコンタクトの弾性力を抑制し得るものである限り任意に設計変更することが可能である。例えば、弾性力抑制手段としては、弾性変形部３１２、３４２の基端部の両端に設けられた切欠きや、弾性変形部３１２、３４２に設けられた肉薄部等がある。
【０１１１】
なお、上記コネクタは、ＵＳＢ２．０及びＵＳＢ３．０の２種の規格に対応するものであるとして説明したが、これに限定されるものではなく、その他の規格に任意に適応可能である。また、上記コネクタは、レセプタクルであるとして説明したが、コンタクトにケーブルが接続されるプラグコネクタとしても適応可能である。
【符号の説明】
【０１１２】
１００  ボディ
２１０  ＴＸ＋信号用コンタクト（第１のコンタクト）
２１１ａ  先端部（不整合部）
２１１ｂ  後端部（他の部分）
２２０  ＴＸ−信号用コンタクト（第１のコンタクト）
２２１ａ  先端部（不整合部）
２２１ｂ  後端部（他の部分）
２４０  ＲＸ＋信号用コンタクト（第１のコンタクト）
２４１ａ  先端部（不整合部）
２４１ｂ  後端部（他の部分）
２５０  ＲＸ−信号用コンタクト（第１のコンタクト）
２５１ａ  先端部（不整合部）
２５１ｂ  後端部（他の部分）
３１０  Ｖｂｕｓ用コンタクト（第２のコンタクト）
３１２  弾性変形部
３１２ａ  端部（第２の重複部）
３１２ｂ  端部（第１の重複部）
３１２ｃ  開口（弾性力抑制手段）
３１３  可動接点部
３１３ａ  先端部（調整部）
３４０  ＧＮＤ用コンタクト（第２のコンタクト）
３４２  弾性変形部
３４２ａ  端部（第２の重複部）
３４２ｂ  端部（第１の重複部）
３４２ｃ  開口（弾性力抑制手段）
３４３  可動接点部
３４３ａ  先端部
４００  シェル
【図１】
2010182623.tif 000003
【図２】
2010182623.tif 000004
【図３】
2010182623.tif 000005
【図４】
2010182623.tif 000006
【図５】
2010182623.tif 000007
【図６】
2010182623.tif 000008
【図７】
2010182623.tif 000009
【図８】
2010182623.tif 000010
【図９】
2010182623.tif 000011
【図１０】
2010182623.tif 000012
【図１１】
2010182623.tif 000013
【図１２】
2010182623.tif 000014
【図１３】
2010182623.tif 000015
【図１４】
2010182623.tif 000016
【図１５】
2010182623.tif 000017